(57)【特許請求の範囲】
【請求項１】
シャッターカーテンが巻装された巻取りドラムをシャッターケースに軸承状に内装したシャッター装置の本体ユニットを開口部上方に持ち上げる持ち上げ装置であって、該持ち上げ装置は、開口部上方の左右両側に設けた係合部に係脱自在に係合することで開口部左右両側に沿って配される一対のガイドレール体と、各ガイドレール体をそれぞれ電動モータの駆動により上下移動自在に自走する一対の自走体と、該各自走体に設けられ、前記本体ユニットをそれぞれ載置できる一対の上板とを備えて構成されているシャッター装置の持ち上げ装置。
【請求項２】
請求項１において、ガイドレール体はラック部とスライド走行部とを備えて構成される一方、自走体は電動モータと、該電動モータのモータ軸に動力伝動される従動軸と、該従動軸に一体的に外嵌しガイドレールラック部に噛合する歯車と、ガイドレールスライド走行部に移動自在に案内される案内体とを備えて構成されているシャッター装置の持ち上げ装置。
【請求項３】
請求項１または２において、係合部は、シャッター装置を構成するシャッターケースを支持する取付けブラケットに形成される引掛け金具であるシャッター装置の持ち上げ装置。
【発明の詳細な説明】
【０００１】
【発明の属する技術分野】
本発明は、ビル等建築物の開口部や通路を仕切るべく配されるシャッター装置の持ち上げ装置の技術分野に属するものである。
【０００２】
【従来の技術】
一般に、建築物の開口部等に設けられるシャッター装置のなかには、開口部上方にシャッターケースが設けられ、シャッターカーテンを、前記シャッターケース内に設けた巻取りドラムに巻取って開口部を開放する開放姿勢と、巻取りドラムから巻出して開口部を閉鎖する閉鎖姿勢とに姿勢変姿するようにしたものが知られている。このようなシャッター装置を躯体に取付ける場合、開口部上方にシャッターケースを取付け、該取付けられたシャッターケースに、シャッターカーテンが連結された巻取りドラムを組込むようにしていたが、このようにすると現場での作業が多くなってしまうことから、近年では、シャッターケースに予めシャッターカーテンを巻取った状態の巻取りドラムを組込み、これを現場に移送して、前記組込み状態のシャッターケースを開口部上方に取付けることで、現場での組込み作業の簡略化を計ることが提唱されている。
【０００３】
【発明が解決しようとする課題】
しかるに、このようにする場合、シャッターケースは開口部の上方、即ち高所に取付けられることになるため高所作業が強いられるが、シャッターケースには前述したようにシャッターカーテンや巻取りドラムが組込まれた状態となっているためどうしても重くなっており、高所での取付け作業がより困難になってしまうことが想定され、複数の作業者が必要になってしまうという問題があり、ここに本発明が解決しようとする課題があった。
【０００４】
【課題を解決するための手段】
本発明は、上記の如き実情に鑑み、これらの課題を解決することを目的として創作されたものであって、請求項１の発明は、シャッターカーテンが巻装された巻取りドラムをシャッターケースに軸承状に内装したシャッター装置の本体ユニットを開口部上方に持ち上げる持ち上げ装置であって、該持ち上げ装置は、開口部上方の左右両側に設けた係合部に係脱自在に係合することで開口部左右両側に沿って配される一対のガイドレール体と、各ガイドレール体をそれぞれ電動モータの駆動により上下移動自在に自走する一対の自走体と、該各自走体に設けられ、前記本体ユニットをそれぞれ載置できる一対の上板とを備えて構成されているシャッター装置の持ち上げ装置である。
そして、このようにすることにより、シャッター装置の取付け作業を容易にできる。
請求項２の発明は、請求項１において、ガイドレール体はラック部とスライド走行部とを備えて構成される一方、自走体は電動モータと、該電動モータのモータ軸に動力伝動される従動軸と、該従動軸に一体的に外嵌しガイドレールラック部に噛合する歯車と、ガイドレールスライド走行部に移動自在に案内される案内体とを備えて構成されているシャッター装置の持ち上げ装置である。
請求項３の発明は、請求項１または２において、係合部は、シャッター装置を構成するシャッターケースを支持する取付けブラケットに形成される引掛け金具であるシャッター装置の持ち上げ装置である。
【０００５】
【発明の実施の形態】
次に、本発明の実施の形態を図１〜図５の図面に基づいて説明する。
図面において、１は開口部に建付けられるシャッター装置のシャッターカーテンであって、該シャッターカーテン１は、躯体上方に取付けられるシャッターケース２に回動自在に支持される巻取りドラム３に巻装され、図示しない開閉機に基づく巻取りドラム３の正逆回動に伴い、巻取りドラム３に巻取られて開口部を開放する開放姿勢と、巻取りドラム３から巻出されて開口部を閉鎖する閉鎖姿勢とのいあいだを開閉作動するが、このとき、シャッターカーテン１は、両側縁部を開口部両側に配された案内レール４に移動案内される状態で開閉作動するように構成されており、これらの構成は何れも従来通りの構成となっている。
【０００６】
前記シャッター装置は、予めシャッターカーテン１を巻装した巻取りドラム３をシャッターケース２に軸承状に内装した本体ユニットＵ１と、開口部両側に配される一対の案内レールユニットＵ２とに分割された状態で工場出荷されるものとなっており、現場で本体ユニットＵ１、案内レールユニットＵ２の取付け作業をそれぞれ行うことで建付けられるように設定されており、前記本体ユニットＵ１の取付け作業の過程で、本発明の持ち上げ装置５が用いられるように構成されている。
【０００７】
即ち、前記開口部左右両側の上方に位置する躯体表面（前面）には、本体ユニットＵ１を取付けるための縦長プレート状の取付けブラケット６の一対がそれぞれ固定され、これら取付けブラケット６に本体ユニットＵ１が固定されるが、取付けブラケット６には、本体ユニットＵ１を構成するシャッターケース２の背面に設けられた係合部（図示せず）を上側から係合するべく、前方に向けて突出する先端を上方に折り曲げるように切り起し形成された上下一対のケース用引掛け金具６ａが設けられている。さらに、これらケース用引掛け金具６ａの下方部位には、前記ケース用引掛け金具６ａと同形状に切起し形成された持ち上げ装置用引掛け金具６ｂがそれぞれ一つづつ形成されている。
【０００８】
そして、前記持ち上げ装置用引掛け金具６ｂに、持ち上げ装置５を構成する一対のガイドレール体７の上端部がそれぞれ着脱自在に係合するように構成されている。前記各ガイドレール体７は上下方向に長い略四角柱形状のスライド走行部８と、該スライド走行部８の前面に一体的に固着されたラック部９とにより構成されており、前記スライド走行部８は、左右両側面に上下方向を向いて凹設された長溝８ａにレール部８ｂが突出状に固定されたものに構成されている。また、前記ラック部９はゴムやポリウレタン製であって、ベルト状の表面にラック９ａが上下方向に複数並列する状態で形成されたものに構成され、スライド走行部８の表面に貼着等の手段により一体に取付けられている。さらに、各ガイドレール体７の上端部には、前記取付けブラケット６の持ち上げ装置用引掛け金具６ｂに係脱自在に嵌合するよう折曲形成された受け金具７ａが、スライド走行部８の背面と面一になる状態で上方突出状に一体配設されている。
【０００９】
一方、前記各ガイドレール体７を上下方向にそれぞれ自走する一対の自走体１０は、左右勝手違いに形成されたものがそれぞれのガイドレール体７に組込まれており、これによって、持ち上げ装置５が構成されるが、ここでは、図２の左側に位置するガイドレール体７を走行する自走体１０の構成について詳細な説明を行い、右側のガイドレール体７を走行する自走体１０の構成についての説明は省略する。
前記自走体１０は、上下方向に長く左右方向を向く矩形状の板材で構成されたベース板１１の下方部位に電動モータ１２を備えて構成されるが、ベース板１１の下方左側縁部には、モータ取付け板１３が前方に突出するように螺子止め固定されている。前記電動モータ１２は、角筒状のケーシングに内装され、該ケーシングの背面をベース板１１に螺子止め固定することでベース板１１と一体化されており、電動モータ１２の左側から突出するモータ軸１２ａは、モータ取付け板１３に開設された貫通孔１３ａを遊嵌状に貫通して左側に突出し、該突出端部に、駆動スプロケット１２ｂが一体に外嵌固定されている。
【００１０】
さらに、ベース板１１には、電動モータ１２の上方部位に位置して従動軸１４が配されるが、該従動軸１４は左右方向を向いて長く配され、ベース体１１に背面が固定される角柱状ケーシングに内装された軸受１４ａにより、左右方向三箇所が軸承されている。前記従動軸１４の左端部は前記電動モータ１２の駆動スプロケット１２ｂ対応部位にまで延出され、該部位に従動スプロケット１４ｂが一体に外嵌固定されている。そして、駆動スプロケット１２ｂと従動スプロケット１４ａとのあいだには無端チエン１２ｃが巻回されており、これによって、両スプロケット１２ｂ、１４ａとのあいだの連動連結がなされ、電動モータ１２の駆動に伴い従動軸１４が回転するように設定されている。尚、１４ｃは従動軸１４の抜け止めをする抜け止めピンである。
【００１１】
また、１５は、ガイドレールスライド走行部８の左右両側面から突出するレール部８ｂを走行するためのローラが内蔵された案内体１５であって、該案内体１５がベース板１１の背面に配されるが、案内体１５は、スライド走行部８の左右両側から突出するレール部８ｂを両側から挟み込むよう、左右一対のものが上下方向に二箇所に位置して設けられており、これによって、自走体１１がガイドレール体７に対して走行可能となるように構成されるが、該ガイドレールスライド走行部８と案内体１５とで構成される走行システムについては、汎用の構成であり、ここでの詳細な説明は省略する。
さらに、前記ベース体１１には、従動軸１４対向部位の右側部位に位置して上下方向に長い矩形窓１１ａが開設されており、該矩形窓１１ａに対向する従動軸１４に歯車１６が一体的に外嵌されている。この歯車１６は、外周面に形成されたギア歯１６ａが矩形窓１１ａから背面側に突出するように設けられ、該突出するギア歯１６ａ部分がガイドレールラック部９のラック９ａに噛合するように設定され、これによって、電動モータ１２の正逆回転駆動に伴い歯車１６が回転駆動した場合に、歯車１６のギア歯１６ａがラック９ａに対して噛合することにより、自走体１０がガイドレール体７上を上下方向に自走するように設定されている。
【００１２】
このように構成された自走体１０のベース体１１上縁部には、前方に張出す状態で上板１７が設けられるが、該上板１７は、ベース体１１上縁部と面一状に配され、該上板１７の上面にシャッター装置の本体ユニットＵ１を載置できるように設定されている。
ここで、１８、１９はそれぞれベース板１１に設けられ上板１７を支持するための補強板であり、２０は電動モータ１２を支持するための補強板である。
【００１３】
そして、シャッター装置の取付け工事をする場合に、現場の躯体開口部に一対の取付けブラケット６を固定し、該取付けブラケット６の持ち上げ装置用引掛け金具６ｂに、各ガイドレール体７上端部に配された受け金具７ａをそれぞれ係合せしめ、各ガイドレール体７が開口部両側の躯体前面にスライド走行部８の背面に沿うように吊持セットする。そして、ガイドレール体７に自走体１０を組込むが、左右の自走体１０は、本体ユニットＵ１を載せやすい下方位置に位置せしめ、それぞれの上下方向の位置を合せをして組込まれる。そして、左右の自走体１０の上板１７に、シャッターカーテン１、巻取りドラム３が組込まれたシャッターケース２で構成される本体ユニットＵ１の左右部位を載置し、この状態で、両者の電動モータ１２を駆動させて自走体１０を上方走行させることで、本体ユニットＵ１を取付け部のすぐ下方位置にまで持ち上げることができるようになっている。
因みに、左右の自走体１０の電動モータ１２は同一の構成（出力、トルク等）のものが用いられ、これらの電動モータ１２に対し、略同時的に電源供給するように設定されている。
このように持ち上げ装置５を用いて本体ユニットＵ１を躯体上方位置にまで持ち上げた状態で、作業者は脚立等に載って本体ユニットＵ１を取付けブラケット６のケース用引掛け金具６ａに引掛けて係合させることで、本体ユニットＵ１の取付けが行われるようになっている。そして、本体ユニットＵ１の取付作業の終了後には、各自走体１０を取外しやすい位置にまで下降せしめ、自走体１１を取外し、そしてガイドレール７を装置用引掛け金具６ｂから取外すが、該取外し状態となると、取付けブラケット６の持ち上げ装置用引掛け金具６ｂは不要となる。そこで、本実施の形態では、切起し形成されている持ち上げ装置用引掛け金具６ｂを押し込む（打ち込む）ことで、該持ち上げ装置用引掛け金具６ｂが邪魔になったり、何かが不用意に係合してしまうようなことがないようにしている。
【００１４】
叙述の如く構成された本発明の実施の形態において、開口部にシャッター装置を建付けるに、シャッター装置は、予めシャッターカーテン１が巻取られた巻取りドラム３をシャッターケース２に収納した状態の本体ユニットＵ１と案内レールユニットＵ２とに構成されて工場から出荷される。そして、取付け現場において、各ユニットＵ１、Ｕ２を取付けることになるが、この場合に、重量の重い本体ユニットＵ１は、持ち上げ装置５を用いて取付け位置の近傍にまで持ち上げることができ、作業者は、この高所位置において本体ユニットＵ１を取付ければよいことになって、作業者の負担を大幅に軽減させることができ、作業者の人数を少なくできるうえ、取付け時間の削減、作業性の改善を計ることができる。
【００１５】
しかもこのものでは、持ち上げ装置５は、ガイドレール体７の上端部に設けた受け金具７ａを、シャッターケース２を取付けるために設けられる取付けブラケット６に形成された持ち上げ装置用引掛け金具６ｂに係合させるだけで躯体開口部に取付けることができ、持ち上げ装置５の据え付けが簡便かつ容易に行えて作業能率を損なうことがない。
【００１６】
さらに、この持ち上げ装置５は、左右一対のガイドレール体７とこれらがイドレール体７を走行するそれぞれの自走体１０とで構成されており、これら左右のものが開口部にそれぞれ別個に分割状に配される構成であるので、開口部の間口幅がどのような大きさであっても対応できるという利点もある。
【図面の簡単な説明】
【図１】シャッター装置の斜視図である。
【図２】持ち上げ装置を用いて持ち上げた本体ユニットの取付けを説明する斜視図である。
【図３】自走体を説明する側面図である。
【図４】自走体を説明する正面図である。
【図５】図５（Ａ）、（Ｂ）はそれぞれ取付け金具へのガイドレールの取付けを説明する正面図、側面図である。
【符号の説明】
１    シャッターカーテンで
２    シャッターケース
３    巻取りドラム
６    取付けブラケット
６ｂ    持ち上げ装置用引掛け金具
７    ガイドレール体
８    スライド走行部
９    ラック部
１０    自走体
１１    ベース板
１２    電動モータ
１４    従動軸
１５    案内体
１６    歯車
１７    上板
【図１】
0004026046.tif 000002
【図２】
0004026046.tif 000003
【図３】
0004026046.tif 000004
【図４】
0004026046.tif 000005
【図５】
0004026046.tif 000006